(57)【要約】【課題】ＵＳＢ接続端子を有する所望の形象物に形成された形象体であって、該形象体に記憶手段を備え、該記憶手段に、動画情報若しくは静止画情報となる画像情報と、この動画情報若しくは静止画情報に関連したインターネット上に存在する情報資源の場所を示す情報となるＵＲＬ情報を記憶させる事によって、形象体に関する様々な情報を開示し、より趣向の高い形象体とする。【解決手段】コンピュータに接続可能とするＵＳＢ規格の接続端子を有し、前記接続端子をコンピュータに接続することによって電力供給が行われる装飾体であって、前記装飾体の外観は、所望の形象物を模して形成され、前記装飾体には、動画情報若しくは静止画情報となる画像情報と、この動画情報若しくは静止画情報に関連したインターネット上に存在する情報資源の場所を示す情報となるＵＲＬ情報を記憶した記憶部とを有する。【選択図】図１
2008217673.tif 000002
【特許請求の範囲】
【請求項１】
コンピュータに接続可能とするＵＳＢ規格の接続端子を有し、前記接続端子をコンピュータに接続することによって電力供給が行われる装飾体であって、前記装飾体の外観は、所望の形象物を模して形成され、前記装飾体には、動画情報若しくは静止画情報となる画像情報と、この動画情報若しくは静止画情報に関連したインターネット上に存在する情報資源の場所を示す情報となるＵＲＬ情報を記憶した記憶部を備えたことを特徴とした装飾体。
【請求項２】
請求項１において、前記装飾体の外観形状は、インターネット上に存在する情報資源とされた情報の内容を示唆又は連想させる形状とされていることを特徴とした装飾体。
【請求項３】
請求項１又は２において、記憶部には、更にコンピュータに接続した際に、該コンピュータ上で自動的に実行される自動起動情報が記憶されていることを特徴とした装飾体。
【請求項４】
請求項３において、前記自動起動情報は、前記記憶手段に記憶された画像情報と、前記ＵＲＬ情報に記載されたインターネット上に存在する情報資源とを、接続されたコンピュータ上で自動的に表示する為の情報であることを特徴とした装飾体。
【請求項５】
請求項１乃至４のいずれか１項において、前記装飾体には、可動や発熱をする作動部を備えたことを特徴とした装飾体。
【発明の詳細な説明】
【技術分野】
【０００１】
本発明は、コンピュータに周辺機器を接続するＵＳＢ規格の接続端子を有する装飾体に関するものである。
【背景技術】
【０００２】
近年、コンピュータの外部記憶装置として、フレキシブルディスクから、読み出し及び書き換え可能なＥＰＲＯＭを使用した記憶媒体となるフラッシュメモリが小型で簡便に利用できることから一般的な記憶媒体になりつつある。また、一般的に、このフラッシュメモリをコンピュータに接続するための規格としてＵＳＢ（ユニバーサル・シリアル・バス）と呼ばれる規格が用いられている。このＵＳＢ規格は、バスパワード方式と呼ばれるコンピュータ側より電力の供給が可能とされる方式が採用されると共にホットプラグと称され、コンピュータの起動中でも自由に抜き差し可能な規格となっている。
【０００３】
また、このフラッシュメモリは、本願出願人が出願した登録実用新案第３１２５９０７号「装飾体可動装置」の如く、その外観を所望の形象物の形状に形成したものが提案されている。この装飾体可動装置は、ＵＳＢ接続端子を有しており、該ＵＳＢ端子をコンピュータに接続することによって、装飾体可動装置に設けられた可動部が可動するものである。このように従来のフラッシュメモリは、コンピュータに接続することによって、所望の形象物の一部となる可動部が可動する趣向の高い装飾体可動装置であった。
【特許文献１】登録実用新案第３１２５９０７号公報
【発明の開示】
【発明が解決しようとする課題】
【０００４】
そこで、本発明は、ＵＳＢ接続端子を有する所望の形象物に形成された形象体であって、該形象体に記憶手段を備え、該記憶手段に、動画情報若しくは静止画情報となる画像情報と、この動画情報若しくは静止画情報に関連したインターネット上に存在する情報資源の場所を示す情報となるＵＲＬ情報を記憶させる事によって、形象体に関する様々な情報を開示し、より趣向の高い形象体とすることを課題とする。
【課題を解決するための手段】
【０００５】
請求項１記載の発明は、コンピュータに接続可能とするＵＳＢ規格の接続端子を有し、前記接続端子をコンピュータに接続することによって電力供給が行われる装飾体であって、前記装飾体の外観は、所望の形象物を模して形成され、前記装飾体には、動画情報若しくは静止画情報となる画像情報と、この動画情報若しくは静止画情報に関連したインターネット上に存在する情報資源の場所を示す情報となるＵＲＬ情報を記憶した記憶部を備えたことを特徴とする。
【０００６】
請求項２記載の発明は、請求項１において、前記装飾体の外観形状は、インターネット上に存在する情報資源とされた情報の内容を示唆又は連想させる形状とされていることを特徴する。
【０００７】
請求項３記載の発明は、請求項１又は２において、記憶部には、更にコンピュータに接続した際に、該コンピュータ上で自動的に実行される自動起動情報が記憶されていることを特徴する。
【０００８】
請求項４記載の発明は、請求項３において、前記自動起動情報は、前記記憶手段に記憶された画像情報と、前記ＵＲＬ情報に記載されたインターネット上に存在する情報資源とを、接続されたコンピュータ上で自動的に表示する為の情報であることを特徴する。
【０００９】
請求項５記載の発明は、請求項１乃至４のいずれか１項において、前記装飾体には、可動や発熱をする作動部を備えたことを特徴とする。
【発明の効果】
【００１０】
本発明によれば、ＵＳＢ接続端子を有する所望の形象物に形成された形象体であって、該形象体に記憶手段を備え、該記憶手段に、動画情報若しくは静止画情報となる画像情報と、この動画情報若しくは静止画情報に関連したインターネット上に存在する情報資源の場所を示す情報となるＵＲＬ情報を記憶させる事によって、形象体の外観などに関連した様々な情報を開示し、外観から情報内容を想定させてより趣向の高い形象体とすることができる。
【発明を実施するための最良の形態】
【００１１】
コンピュータに接続可能とするＵＳＢ規格の接続端子を有し、前記接続端子をコンピュータに接続することによって電力供給が行われる装飾体であって、前記装飾体の外観は、所望の形象物を模して形成され、前記装飾体には、動画情報若しくは静止画情報となる画像情報と、この動画情報若しくは静止画情報に関連したインターネット上に存在する情報資源の場所を示す情報となるＵＲＬ情報を記憶した記憶部と、可動や発熱をする作動部とを備えた。また、装飾体の外観形状は、インターネット上に存在する情報資源とされた情報の内容を示唆又は連想させる形状とするものである。
【００１２】
そして、前記記憶部に、コンピュータ上で自動的に実行される自動起動情報を記憶させることもある。そして、該自動起動情報は、前記記憶手段に記憶された画像情報と、前記ＵＲＬ情報に記載されたインターネット上に存在する情報資源とを、接続されたコンピュータ上で自動的に表示する為の情報とするものである。
【実施例１】
【００１３】
以下、図を参照して、本発明を適用した実施の形態について説明する。図１は、装飾体の外観を示す図である。装飾体１０の外観は、自動車を模した形に形成され、該自動車の前方に接続端子１４となるＵＳＢ（ユニバーサル・シリアル・バス）Ａ端子が設けられている。この接続端子１４を、コンピュータの差込口やＵＳＢハブの差込口に接続すると、装飾体１０に電力が供給され、図示しないが装飾体１０に内設された作動部１８となるモータが回転する。このモータの回転により、図示しないが装飾体１０に内設された歯車や歯車列を介して、作動部１８の可動体２０となる自動車の車輪１２を回転させるものである。そして、この装飾体１０には、図示しないが記憶部１６となるフラッシュメモリが内設されている。
【００１４】
また、実施例の装飾体１０は、その外観を自動車の形状を模した形に形成されたものであるが、これに限定されず、装飾体１０は、インターネット上に存在する情報資源とされた情報の内容を示唆又は連想させる様々な形状に形成されることもある。
【００１５】
図２は、本発明の装飾体１０のブロック図である。この図２を用いて、装飾体１０の構成を説明する。上述したように装飾体１０は、接続端子１４、記憶部１６及び作動部１８で構成されている。装飾体１０は、コンピュータの差込口やＵＳＢハブの差込口に接続端子１４を接続することによって、コンピュータから装飾体１０の記憶部１６への情報の読み出し及び／又は書き込みが可能となると共に、作動部１８を動作させることができるようになるものである。
【００１６】
接続端子１４は、コンピュータに周辺機器を接続するシリアルバスの１つとなるＵＳＢ規格の接続端子１４となっており、２ピンの信号線と２ピンの電源線からなる接続端子１４である。実施例の装飾体１０の接続端子１４は、ホスト側となるコンピュータの差込口や、ＵＳＢハブのクライアント側の差込口に差し込むＵＳＢ Ａ端子である。また、一般的にパソコンから接続されるプリンタなどの周辺機器の差込口となるＵＳＢ Ｂ端子や、デジタルカメラなどの小型機器に使用されるミニＵＳＢ端子を用いても構わない。この接続端子１４を、コンピュータの差込口や、ＵＳＢハブのクライアント側の差込口に差し込むことによって、装飾体１０は、コンピュータやＵＳＢハブから電源が供給されるようになっている。
【００１７】
記憶部１６は、不揮発性メモリとなるＲＯＭや、ＥＰＲＯＭなどである。実施例では、情報の読み出し及び書き込みを行うことのできるフラッシュメモリとなっている。この記憶部１６には、装飾体１０の外観から示唆又は連想させる動画情報若しくは静止画情報となる画像情報と、画像情報と同様に装飾体１０の外観から示唆又は連想させるインターネット上に存在する情報資源の場所を示す情報となるＵＲＬ情報と、コンピュータ上で自動的に実行される自動起動情報と、装飾体１０の外観から示唆又は連想させるプログラム若しくはゲームプログラムとが記憶されている。
【００１８】
記憶部１６に記憶された画像情報となる動画情報は、ＡＶＩ、ＭＰ４、ＷＭＶなどの拡張子となるコンピュータ上で動画再生可能な様々な規格で記憶されている。また、動画情報として、Flashアニメであっても構わない。そして、静止画情報は、ＢＭＰ、ＪＰＧ、ＰＮＧなどの拡張子となるコンピュータ上で静止画を表示可能な様々な規格で記憶されている。この静止画情報は、コンピュータ上で動作するＯＳの壁紙として使用することもでき、コンピュータの表示画素に合わせて、異なる画素サイズの静止画を複数記憶されているものである。
【００１９】
次に、記憶部１６に記憶されたＵＲＬ情報としては、装飾体１０の外観から示唆又は連想させるインターネット上に存在する情報資源の場所を示す情報が記憶されている。このＵＲＬ情報を、接続されたコンピュータ上で動作し、インターネット上に存在する情報資源を閲覧するブラウザに渡すと、該ブラウザに、装飾体１０の外観から示唆又は連想させるホームページが表示されるようになるものである。
【００２０】
次に、記憶部１６に記憶された自動起動情報は、装飾体１０をコンピュータに接続した時に、該記憶部１６に記憶された動画情報若しくは静止画情報を、接続されたコンピュータ上で、自動的に動画を再生したり、自動的に静止画を表示したりさせる情報である。例えば、接続されるコンピュータ上で動作するＯＳがＷｉｎｄｏｗｓ（登録商標）である場合には、外部記憶装置を接続すると外部記憶装置内の自動起動に関するファイルが検索されるようになっており、自動起動に関するファイルを発見した場合には、自動起動に関するスクリプトが実行されるようになっている。このことから、例えば、自動起動に関するファイルとして、「autorun.inf」のファイル名で記憶部１６に自動起動情報を記憶させるようにする。この自動起動情報となる「autorun.inf」には、記憶部１６に記憶されている動画や静止画を表示した後、接続されたコンピュータ上で動作し、インターネット上に存在する情報資源を閲覧するブラウザにＵＲＬ情報を渡すスクリプトが記憶されているものである。
【００２１】
そして、記憶部１６に記憶されたプログラムは、接続されたコンピュータ上で実行可能で且つ装飾体１０の外観から示唆又は連想させるプログラムが記憶されている。このプログラムは、例えば、時計プログラムであり、接続されたコンピュータに表示される時計の一部を装飾体１０の外観に模して表示するプログラムである。また、記憶部１６に記憶されたゲームプログラムは、装飾体１０の外観から示唆又は連想させるゲームを行うためのゲームプログラムが記憶されているものである。これらのプログラム若しくはゲームプログラムを実行し、プログラムの処理に応じて、作動部１８の可動体２０及び発熱体２２の動作状態を変化させるようにしても構わない。
【００２２】
作動部１８は、可動体２０や発熱体２２からなり、接続端子１４をコンピュータやＵＳＢハブに接続することによって、電力が供給され作動部１８が作動するものである。この作動部１８の可動体２０は、供給された電力によって、装飾体１０の一部となる車輪１２を回転させたり、また装飾体１０の一部となる魚の尾ひれを左右に揺動させたりするものである。また、発熱体２２は、装飾体１０自体を発熱させるようにしたものである。この作動部１８は、上述したプログラムを接続されたコンピュータ上で実行することによって、該プログラムの処理に応じて、作動部１８の動作状態を変化されるものである。
【００２３】
この装飾体１０の使用例として、例えば、図１に示すような自動車の形状を模した装飾体１０の記憶部１６に、装飾体１０の外観から示唆又は連想させる動画情報として新車のコマーシャル動画が記憶され、また装飾体１０の外観から示唆又は連想させるＵＲＬ情報として渋滞情報を公表するホームページの情報が記憶され、そして自動起動情報として動画情報を再生しＵＲＬ情報に指定されたホームページを表示するように記憶されている場合には、該装飾体１０をコンピュータに接続すると、接続されたコンピュータ上で、新車のコマーシャル動画が再生された後、渋滞情報を公表するホームページが閲覧できるようになる。また同時に、装飾体１０は、接続されたコンピュータから電力を供給されることにより、作動部１８の可動体２０となる自動車の車輪１２が回転するものである。
【００２４】
そして、例えば、新車のコマーシャル動画を再生した後、新車を販売する企業のホームページを表示することによって、より趣向の高いノベルティとして使用することも可能である。
【００２５】
このように、ＵＳＢ接続端子を有する所望の形象物に形成された形象体であって、該形象体に記憶手段を備え、該記憶手段に、動画情報若しくは静止画情報となる画像情報と、この動画情報若しくは静止画情報に関連したインターネット上に存在する情報資源の場所を示す情報となるＵＲＬ情報を記憶させる事によって、形象体の外観や形状から連想し得る形状に関連した様々な情報を開示し、より趣向の高い形象体とすることができる。また、好ましい実施例を挙げて本発明を説明したが、本発明はその実施例に限定されるものではなく、本発明の要旨の範囲内で種々に改変でき、下記に示す。
【００２６】
例えば、図３の如く装飾体１０の外観は、魚を模して形成され、その魚の口に接続された釣り糸を模したＵＳＢケーブルの先端に、接続端子１４を備え、図示しないが作動部１８となるモータと、記憶部１６となるフラッシュメモリとが内設されている。また、作動部１８の可動体２０として尾ひれが設けられ、作動部１８となるモータの回転により、作動部１８の可動体２０となる尾ひれが左右に揺動するものである。この魚を模した装飾体１０の記憶部１６には、動画情報として釣り具のコマーシャル動画が記憶され、ＵＲＬ情報として釣り情報のホームページの情報が記憶され、自動起動情報として、記憶部１６に記憶された動画情報を再生し、ＵＲＬ情報に指定されたホームページを表示するように記憶されている。
【００２７】
これにより、この魚を模した装飾体１０をコンピュータに接続すると、釣り具のコマーシャル動画が再生した後、釣り情報を公表するホームページが閲覧できるようになるものである。また、同時に、魚を模して形成された装飾体１０の作動部１８の可動体２０となる尾ひれが、左右に揺動動作を行ことにより、より趣向の高い装飾体１０とすることができる。
【００２８】
そして、例えば、図４の如く装飾体１０の外観は、熊（キャラクター）を模した縫いぐるみとされ、該熊の縫いぐるみの足の先端に接続端子１４を備え、図示しないが作動部１８となる発熱体２２と、記憶部１６となるフラッシュメモリとが内設されている。また、この熊の縫いぐるみの記憶部１６には、動画情報として、熊（キャラクター）の動画が記憶され、ＵＲＬ情報として、熊（キャラクター）のホームページの情報が記憶され、自動起動情報として、記憶部１６に記憶された動画情報を再生し、ＵＲＬ情報に指定されたホームページを表示するように記憶されている。
【００２９】
これにより、この熊の縫いぐるみとなる装飾体１０をコンピュータに接続すると、熊（キャラクター）の動画が再生した後、熊（キャラクター）のホームページが閲覧できるようになるものである。また、同時に、熊の縫いぐるみとなる装飾体１０の作動部１８の発熱体２２が発熱し、熊の縫いぐるみをとなる装飾体１０が暖かくなるようにしており、より趣向の高い装飾体１０とすることができる。
【００３０】
また、上述した実施例以外にも、装飾体１０を「てるてる坊主」を模して形成し、コンピュータに接続することのよって、天気予報のホームページを閲覧できるようにすることもできるものである。また、「てるてる坊主」を模した装飾体１０の記憶部１６にお天気プログラムが記憶されている場合には、該お天気プログラムが接続されたコンピュータ上で実行され、インターネット上から天気予報情報を参照し、参照された天気予報情報に応じて、例えば、晴天の動画情報を再生したり、雨天の動画情報を再生したりすることができるものである。
【００３１】
このように装飾体１０の形状と関連する動画や静止画の画像情報とインターネット上の情報資源に関するＵＲＬ情報や自動起動情報を記憶した記憶部１６を装飾体１０に組み込むことのより、フラッシュメモリによって自動読み出しが可能となるインターネット上の情報を装飾体１０の外観により容易に見分けることができ、またインターネット上の情報を自動表示させるまでの間、動画や静止画を表示させて楽しみながらインターネット上の情報を引き出すことができる。
【図面の簡単な説明】
【００３２】
【図１】本発明に係る装飾体の外観を示す図である。
【図２】本発明に係る装飾体のブロック図である。
【図３】本発明に係る装飾体の他の実施例を示す図である。
【図４】本発明に係る装飾体の他の実施例を示す図である。
【符号の説明】
【００３３】
１０  装飾体
１２  車輪
１４  接続端子
１６  記憶部
１８  作動部
２０  可動体
２２  発熱体
【図１】
2008217673.tif 000003
【図２】
2008217673.tif 000004
【図３】
2008217673.tif 000005
【図４】
2008217673.tif 000006